(57)【特許請求の範囲】
【請求項１】
便器のボウル上壁面に沿わせて洗浄水を吐水するための吐水管の取付構造であって、
前記便器は、一端が前記便器のボウル後部でボウル面に連絡した開口部を形成した給水路部を備え、
前記吐水管は、前記給水路部の前記開口部と反対側に取り付け固定される基端部と、少なくとも先端部が屈曲可能な弾性を有するノズル部とを備え、
前記基端部を前記便器に取り付け固定した状態で前記ノズル部の前記先端部近傍が前記ボウル上壁面に沿って弾性変形することにより、前記先端部が屈曲してボウル上壁面に常に接触すると共に、前記先端部が前記開口部と略面一となるように配置されたことを特徴とする便器への吐水管取付構造。
【請求項２】
前記ノズル部の先端部の吐水口が上下方向に細長い略長方形であることを特徴とする請求項１に記載の便器への吐水管取付構造。
【請求項３】
前記吐水管の基端部が水密状態に前記便器の本体に固定されていることを特徴とする請求項１または請求項２に記載の便器への吐水管取付構造。
【発明の詳細な説明】
【０００１】
【発明の属する技術分野】
本発明は、ボウル上壁面に沿わせて洗浄水が供給される便器に洗浄水を吐水するための吐水管の取付構造に関する。
【０００２】
【従来の技術】
従来、ボウル上壁面に沿わせて洗浄水が供給される便器に洗浄水を吐水するための吐水管の取付構造として図２に示すものがある。便器１５のボウル壁面１６上に洗浄水を吐水するノズル１４をノズル１４の基端部を便器１５に取り付けている。ノズル１４は、フランジ部１８を一体的に構成しており、便器１５の挿通孔１９に挿入されたあと、ナット１７がノズル１４にネジ込まれることにより、漏水防止を目的としたパッキン２０と便器１５の陶器壁２１を挟んで固定される。
【０００３】
【発明が解決しようとする課題】
この場合、ノズル１４の先端が固定されていないため、便器１５に洗浄水を吐水する際に、洗浄水の流動によってノズル１４の先端が振動したり、経年変化によってノズル１４の先端が所定の方向からずれるなどして、ボウル面の洗浄不良が発生したり、ボウルからの洗浄水の飛び出しが発生しやすくなるという問題がある。また、ノズル１４の先端がボウル壁面１６に沿っていないため、洗浄水がボウル面全体に行き渡らず洗浄不良が発生することがある。
【０００４】
そこで、本発明の目的は、ボウル上壁面に沿わせて洗浄水を供給する便器において、洗浄水を吐水する吐水管のノズル先端が洗浄水の流動によって振動せず、経年変化によってもノズルの先端が所定の方向からずれることなく安定して洗浄水の吐水が実現できボウル洗浄不良などの問題が発生しない吐水管取付構造を提供することにある。
【０００５】
【課題を解決するための手段およびその作用・効果】
上記課題を解決するために、本発明は、便器（１）のボウル上壁面（１ｃ）に沿わせて洗浄水を吐水するための吐水管（７）の取付構造であって、前記便器（１）は、一端が前記便器（１）のボウル後部でボウル面（１ａ）に連絡した開口部（１ｂ）を形成した給水路部（２）を備え、前記吐水管（７）は、前記給水路部（２）の前記開口部（１ｂ）と反対側に取り付け固定される基端部（７ｂ）と、少なくとも先端部が屈曲可能な弾性を有するノズル部（７ａ）とを備え、前記基端部（７ｂ）を前記便器（１）に取り付け固定した状態で前記ノズル部（７ａ）の前記先端部近傍が前記ボウル上壁面（１ｃ）に沿って弾性変形することにより、前記先端部が屈曲してボウル上壁面（１ｃ）に常に接触すると共に、前記先端部が前記開口部（１ｂ）と略面一となるように配置されたことを特徴とする。そうすることにより、便器に洗浄水を吐水する際に洗浄水の流動によってノズル部の先端が振動せず、経年変化によってノズル部の先端が所定の方向からずれることもないため、ボウル面の洗浄不良やボウルからの洗浄水の飛び出しを防ぐことができる。また、ノズル部の先端がボウル上壁面に沿っているため、洗浄水がボウル面全体に行き渡り、洗浄不良を防止することができる。
【０００６】
本発明の好ましい態様として、前記ノズル部（７ａ）の先端部の吐水口が上下方向に細長い略長方形であることを特徴とする。そうすることにより、先端部が円形のノズルと同等の開口面積を得る場合、吐水される洗浄水の水流の中心がボウル上壁面に近づくのでノズルからの吐水直後からボウル上壁面に洗浄水をより確実に沿わせて吐水することができる。
【０００７】
さらに本発明の好ましい態様として、前記吐水管（７）の基端部（７ｂ）が水密状態に前記便器（１）の本体に固定されていることを特徴とする。そうすることにより、ボウル上壁面に沿って吐水された洗浄水が、吐水管の基端部より便器外部へ漏水することを防止することができる。
【０００８】
【発明の実施の形態】
以下、本発明の実施例を図面に基づいて説明する。図１は、本発明にかかる便器への吐水管取付構造を示す断面図である。吐水管７は、便器１のボウル上壁面１ｃに沿うように便器洗浄水を吐水するノズル７ａと便器１に取り付け固定するための基端部７ｂを備えている。ノズル７ａの長さは吐水管７を便器１に取り付け固定した状態で、先端部近傍がボウル上壁面１ｃに沿って弾性変形し、しかも先端部が下記に開口部１ｂと略面一となる寸法を有している。
【０００９】
便器１は陶器で形成されており、一端が便器１のボウル後部でボウル面１ａに連絡した開口部１ｂを形成した給水路部２を備えている。給水路部２の便器１の後方側には給水路部２の内部と連通し給水路部２内に向かって拡径するテーパ状の穴形状の貫通孔３が穿設されている。吐水管７の基端部７ｂがガイド部材１２を介して貫通孔３に取り付け固定されている。
【００１０】
ガイド部材１２は、ノズル７の基端部７ｂを内嵌装して保持する硬質部６と、硬質部６と貫通孔３の間に介在される軟質部４により構成されている。硬質部６は、合成樹脂で円筒形状に形成されており、その外周面はネジが加工された小径部６ａと小径部６ａからテーパ状に拡径する拡径部６ｂとからなり内径はノズル７の外径とほぼ同一に形成されている。軟質部４はゴムなどの軟質材で形成されており、その外形は挿通孔３の内面に接触することで水密にするテーパ状の形状を有し、その内形は硬質部６の外形の拡径部６ｂに接触することで水密にするテーパ状の形状を有している。
【００１１】
ガイド部材１２の硬質部６の小径部６ａにナット５を螺合していくことにより硬質部６が給水路部２内と反対側に移動し、拡径部７ｂが軟質部４を介して貫通孔３に係止して固定される。その結果、吐水管７も固定される。
【００１２】
ナット５は、金属や合成樹脂などの硬質材で構成され、図示しない洗浄給水装置に連絡する接続管８との嵌合部にはＯリング９を装着しており、接続管８の内側にＯリング９を介して挿入されることで水密に接続されている。また、ナット５と接続管８の外周にはフランジ状の突起が形成されており、そのフランジ状の突起部にまたがるように特開平８−２９６７７に開示されている所謂配管接続金具１０を装着することで連結されている。さらに、ナット５を硬質部６のネジ部に締め付ける事で、硬質部６は、軟質部４を介して貫通孔３のテーパ形状部に押圧され水密に接触するとともに、接触面がテーパ状であるため硬質部６と貫通孔３の芯はほぼ同一になるように矯正される。
【００１３】
ノズル７ａは、先端部が屈曲可能にゴムあるいは樹脂で一体的に構成されており、ナット５および硬質部６に挿入され、その挿入部の外径はナット５および硬質部６の内径とほぼ同一に形成されている。先端部の形状は、円形状でもよいが上下方向に細長い略長方形でもよく、そうすることでボウル上壁面１ｃに洗浄水がより沿いやすくなる。また、ナット５と硬質部６の挿入部にはＯリング１１が装着されており、洗浄水の外部への漏水を防止している。さらに、屈曲可能な先端部は、便器１のボウル上壁面１ｃに沿うように屈曲してその反力によりボウル上壁面１ｃに常に接触するように位置している。ノズル７ａと硬質部６の嵌合は、公差管理されほぼ同一に形成されている上、ノズル７ａに装着されているＯリング１１の反発力による調芯作用により、ノズル７ａと硬質部６の芯はほぼ同一となる。
【００１４】
結果的に、ノズル７ａと貫通孔３の芯はほぼ同一となるように構成されることになり、ノズル７ａは便器１の貫通孔３に対し好適な位置かつ確実に設置されることになることで、ボウル面の洗浄不良やボウルからの洗浄水の飛び出しを避けることができる。また、軟質部４の内外周および硬質部６の外周は貫通孔３と同様にテーパ状に拡径して構成されているので、ナット５を締め付けた際に貫通孔３への押付け力が高くなり、シール性も確実となる。
【００１５】吐水管７のノズル７ａ、基端部７ｂは便器１のボウル面１ａ後方裏側に使用者から見えない位置でガイド部材１２を介して便器の本体に固定されているので、便器の外観を損なわずに吐水管の接続が可能となる。また、ノズル７ａの接続が基端部７ｂの１ケ所のみでされているので、比較的容易な組立も可能となる。
【００１６】
なお、ナット５と接続管８は、配管接続金具１０で連結されているが、ナット５の外周にネジを構成し、接続管８の先端に袋ナットを装着することでねじ込み接続としてもよい。
【００１７】
また、ノズル７ａは屈曲可能なゴムあるいは樹脂で構成しているが、先端部をより強固にボウル上壁面１ｃに密接させるためにはノズル７ａの材質をより曲げ弾性の高い例えば銅管のような金属としてもよい。
【図面の簡単な説明】
【図１】本発明の一実施例を示す吐水管取付構造を示す断面図。
【図２】従来の吐水管取付構造を示す断面図。
【符号の説明】
１…便器
１ａ…ボウル面
１ｂ…開口部
１ｃ…ボウル上壁面
２…給水路部
３…挿通孔
４…軟質部
５…ナット
６…硬質部
７…吐水管
７ａ…ノズル
７ｂ…基端部
８…接続管
９、１１…Ｏリング
１０…配管接続金具
１２…ガイド部材
１４…ノズル
１５…便器
１６…ボウル壁面
１７…ナット
１８…フランジ部
１９…挿通孔
２０…パッキン
２１…陶器壁
【図１】
0003951714.tif 000002
【図２】
0003951714.tif 000003